(57)【要約】【課題】使用者のスイングによって即時スイングゾーンとインパクトゾーンを知らせ、スイングを分析して表示するスイング分析装置を提供する。【解決手段】シャフトに装着される本体と、前記本体内に備えられるセンサー部と、前記本体に位置する電源が印加され、スイングゾーン及びインパクトゾーンでのスイング情報を表示する表示装置と、前記センサー部から測定されたスイング情報を受信し、測定されたスイング情報が設定値以上の場合、スイングゾーンがなされたことを外部に知らせ、インパクトゾーンがなされたことを外部に知らせるように表示装置を作動するように構成される制御部とを含み含む。【選択図】  図１
2019150578.tif 000002
【特許請求の範囲】
【請求項１】
シャフトに装着される本体と、
前記本体内に備えられるセンサー部と、
前記本体に位置する電源が印加され、スイングゾーン及びインパクトゾーンでのスイング情報を表示する表示装置と、
前記センサー部から測定されたスイング情報を受信し、測定されたスイング情報が設定値以上の場合、スイングゾーンがなされたことを外部に知らせ、インパクトゾーンがなされたことを外部に知らせるように表示装置を作動するように構成される制御部と、を含み、
前記制御部は、前記スイングゾーンとインパクトゾーンによるスイング情報を分析し、前記スイングゾーンと前記インパクトゾーンが互いに異なる場合、互いに異なる表示方法を行うように表示装置を制御する、スイング分析装置。
【請求項２】
前記制御部は、
センサー部から測定されたスイング情報を受信する受信モジュールと、
前記受信モジュールに受信されたスイング情報と前記制御部に予め記憶された設定値を比較する比較モジュールと、
前記受信されたスイング情報が前記設定値より大きい場合、前記表示装置を作動するように構成される駆動モジュールと、を含んでなることを特徴とする、請求項１に記載のスイング分析装置。
【請求項３】
前記比較モジュールは、シャフトの長さによって前記予め記憶された設定値を償うように構成されることを特徴とする、請求項２に記載のスイング分析装置。
【請求項４】
前記比較モジュールは、シャフトの初期角度を測定してシャフトの長さを設定し、前記設定されたシャフトの長さによって予め記憶された設定値を償うように構成されることを特徴とする、請求項３に記載のスイング分析装置。
【請求項５】
前記表示装置は、
本体の外側に位置するディスプレイ部と、
本体の外部に光を放出する光源部と、
音によってお知らせを提供する音源部と、を含んでなることを特徴とする、請求項１に記載のスイング分析装置。
【請求項６】
前記ディスプレイ部は前記シャフトのスイング情報を表示するように構成されることを特徴とする、請求項５に記載のスイング分析装置。
【請求項７】
前記光源部は前記本体の上端部に位置するように構成され、所定の条件で発光するように構成されることを特徴とする、請求項５に記載のスイング分析装置。
【請求項８】
本体の背面に位置し、シャフトに着脱可能に付着させるための着脱手段をさらに含むことを特徴とする、請求項１に記載のスイング分析装置。
【請求項９】
前記本体の背面に位置する前記着脱手段は、
前記シャフトが前記着脱手段に対して直角の状態で挿入されるように構成されるスロットと、
前記シャフトに対して９０度回転して前記シャフトに固定されるように前記スロットの両端に隣接して位置する少なくとも２以上のフックと、を含んでなることを特徴とする、請求項８に記載のスイング分析装置。
【請求項１０】
前記センサー部は、加速度センサー、ジャイロスコープ、重力センサー及び方位角センサーの少なくとも一つ以上からなることを特徴とする、請求項１に記載のスイング分析装置。
【請求項１１】
前記制御部通信モジュールをさらに含み、
前記通信モジュールは、ブルートゥース（ｂｌｕｅｔｏｏｔｈ）通信、ＢＬＥ（Ｂｌｕｅｔｏｏｔｈ  Ｌｏｗ  Ｅｎｅｒｇｙ）通信、近距離無線通信（Ｎｅａｒ  Ｆｉｅｌｄ  Ｃｏｍｍｕｎｉｃａｔｉｏｎ）、無線ＬＡＮ（ＷＬＡＮ）通信、ジグビー（Ｚｉｇｂｅｅ）通信、赤外線通信協会（Ｉｎｆｒａｒｅｄ  Ｄａｔａ  Ａｓｓｏｃａｔｉｏｎ、ＩｒＤＡ）による通信、ＷＦＤ（Ｗｉ−Ｆｉ  Ｄｉｒｅｃｔ）通信、ＵＷＢ（ｕｌｔｒａｗｉｄｅｂａｎｄ）通信、Ａｎｔ＋通信及びＷＩＦＩ通信の少なくとも一つ以上の通信を介してスマート機器と連動することを特徴とする、請求項１に記載のスイング分析装置。
【請求項１２】
前記スマート機器は、前記制御部で受信されたスイング情報によってスイング分析を行うように構成される、請求項１１に記載のスイング分析装置。
【請求項１３】
前記測定されるスイング情報は、アドレス時のクラブの閉鎖角度、インパクト時のクラブの閉鎖角度、バックスイングからダウンスイングに転換される角度、ダウンスイング軌道、スイングスピード、ボールスピード及びボールの進行方向の少なくとも一つ以上を含むことを特徴とする、請求項１に記載のスイング分析装置。
【発明の詳細な説明】
【技術分野】
【０００１】
本発明はスイング分析装置に係り、より詳しくはセンサー部を含むスイング分析装置によって使用者のスイング情報を正確に測定し、測定されたスイング情報に基づいてインパクトがなされる位置を検出し、スイングの際に最大スピード区間を分析して使用者に視覚及び聴覚を介して詳細にお知らせにより、インパクト位置を効率的に校正することができるスイング分析装置に関する。
【背景技術】
【０００２】
一般に、ゴルフは身体及び精神健康に多く役立つ運動であると認識されて脚光を浴びているだけではなく、近年には幾何級数的に増えている多くのマニア層を形成している大衆的な運動である。ゴルフ競技は、その競技運営方式によって、１８ホールを３ラウンド又は４ラウンドで進め、この成績を総合して最低打数を記録したゴルファーが勝者となる競技である。
【０００３】
しかし、前述したように、ゴルフは多くのホールをラウンディングするから、ゴルファーの集中力、身体的な健康状態、スイング時の正確度などによって勝敗が左右される傾向があり、特にゴルフはゴルファーのスイング姿勢によってその正確度が大きく左右され、飛距離及び正確度は正しい姿勢で効果的なインパクトを加えるときにだけ所望の飛距離及び正確度を得ることができる。
【０００４】
すなわち、ゴルファーがスイングを行うとき、ゴルファーが加えるインパクトの位置がゴルフボールを打撃する位置からずれる場合、ゴルフボールを最大の力で打撃することができないため、飛距離が減少し、正確度も著しく低下する。
【０００５】
よって、多くのゴルファーが各自の必要によってより良い成績を得るために自分のスイング姿勢などを校正するためのレッスンを受けるか、ビデオ視聴、撮影などの多くの努力を注いでいるが、ゴルファーが行うスイングにおける正確なインパクトの位置を把握することが非常に難しいから、投資した時間や費用に比べて満足な成果を得ることができなかった。
【０００６】
近年には多様な方式のスイング分析装置によって自分のスイングパターンを分析するための努力を注いでおり、スクリーンゴルフ場に位置する装備によって打球の速度、スイングスピード、スイング軌跡などのスイング情報を確認することができる。
【０００７】
ただ、前記のようなスクリーン方式のスイング分析装置は広い空間を要求しており、実際にゴルフ場でプレーしながらスイングを実時間で分析することができない欠点があり、使用者がスイング分析を行うために決められた場所を必ず訪問しなければならない時間的かつ金銭的な難しさが存在した。
【０００８】
これだけでなく、ゴルファーのスイングを分析するための装備は従来にスイングを基にする全ての分野に適用することができない問題点が存在した。
【先行技術文献】
【特許文献】
【０００９】
【特許文献１】韓国特許登録第１０−０９８２４８２号公報
【発明の概要】
【発明が解決しようとする課題】
【００１０】
本発明は前記のような問題点を解決するために案出されたもので、具体的にシャフトの長さが互いに異なる点を考慮し、シャフトの長さ別に設定値を変更することができるスイング分析装置を提供することを目的とする。
【００１１】
また、本発明はスイング分析装置を介してスイング情報を受信し、受信されたスイング情報に基づいて使用者のスイング分析を行ってディスプレイ部に表示するスイング分析装置を提供することを他の目的とする。
【００１２】
また、本発明は簡単な着脱が可能であるとともに携帯が可能であるスイング分析装置を提供することをさらに他の目的とする。
【００１３】
本発明の目的は以上で言及した目的に制限されず、言及しなかった本発明の他の目的は下記の説明によって理解可能であり、本発明の実施例によってより明らかに理解可能である。また、本発明の目的は特許請求範囲に示した手段及びその組合せによって実現可能である。
【課題を解決するための手段】
【００１４】
上述した本発明の目的を達成するためのスイング分析装置は次のような構成を含む。
【００１５】
本発明は、シャフトに装着される本体と、前記本体内に備えられるセンサー部と、前記本体に位置する電源が印加され、スイングゾーン及びインパクトゾーンでのスイング情報を表示する表示装置と、前記センサー部から測定されたスイング情報を受信し、測定されたスイング情報が設定値以上の場合、スイングゾーンがなされたことを外部に知らせ、インパクトゾーンがなされたことを外部に知らせるように表示装置を作動するように構成される制御部と、を含み、前記制御部は、前記スイングゾーンとインパクトゾーンによるスイング情報を分析し、前記スイングゾーンと前記インパクトゾーンが互いに異なる場合、互いに異なる表示方法を行うように表示装置を制御するスイング分析装置を提供する。
【００１６】
前記制御部は、センサー部から測定されたスイング情報を受信する受信モジュールと、前記受信モジュールに受信されたスイング情報と前記制御部に予め記憶された設定値を比較する比較モジュールと、前記受信されたスイング情報が前記設定値より大きい場合、前記表示装置を作動するように構成される駆動モジュールとを含んでなることができる。
【００１７】
また、前記比較モジュールは、シャフトの長さによって前記予め記憶された設定値を償うように構成されることができる。
【００１８】
また、前記比較モジュールは、シャフトの初期角度を測定してシャフトの長さを設定し、前記設定されたシャフトの長さによって予め記憶された設定値を償うように構成されることができる。
【００１９】
また、前記表示装置は、本体の外側に位置するディスプレイ部と、本体の外部に光を放出する光源部と、音によってお知らせを提供する音源部とを含んでなることができる。
【００２０】
また、前記ディスプレイ部は前記シャフトのスイング情報を表示するように構成されることができる。
【００２１】
また、前記光源部は前記本体の上端部に位置するように構成され、所定の条件で発光するように構成されることができる。
【００２２】
また、前記スイング分析装置は、本体の背面に位置し、シャフトに着脱可能に付着させるための着脱手段をさらに含むことができる。
【００２３】
また、前記本体の背面に位置する前記着脱手段は、前記シャフトが前記着脱手段に対して直角の状態で挿入されるように構成されるスロットと、前記シャフトに対して９０度回転して前記シャフトに固定されるように前記スロットの両端に隣接して位置する少なくとも２以上のフックとを含んでなることができる。
【００２４】
また、前記センサー部は、加速度センサー、ジャイロスコープ、重力センサー及び方位角センサーの少なくとも一つ以上からなることができる。
【００２５】
また、前記スイング分析装置は、前記制御部通信モジュールをさらに含むことができ、前記通信モジュールは、ブルートゥース（ｂｌｕｅｔｏｏｔｈ）通信、ＢＬＥ（Ｂｌｕｅｔｏｏｔｈ  Ｌｏｗ  Ｅｎｅｒｇｙ）通信、近距離無線通信（Ｎｅａｒ  Ｆｉｅｌｄ  Ｃｏｍｍｕｎｉｃａｔｉｏｎ）、無線ＬＡＮ（ＷＬＡＮ）通信、ジグビー（Ｚｉｇｂｅｅ）通信、赤外線通信協会（Ｉｎｆｒａｒｅｄ  Ｄａｔａ  Ａｓｓｏｃａｔｉｏｎ、ＩｒＤＡ）による通信、ＷＦＤ（Ｗｉ−Ｆｉ  Ｄｉｒｅｃｔ）通信、ＵＷＢ（ｕｌｔｒａｗｉｄｅｂａｎｄ）通信、Ａｎｔ＋通信及びＷＩＦＩ通信の少なくとも一つ以上の通信を介してスマート機器と連動することができる。
【００２６】
また、前記スマート機器は、前記制御部で受信されたスイング情報によってスイング分析を行うように構成されることができる。
【００２７】
また、前記測定されるスイング情報は、アドレス時のクラブの閉鎖角度、インパクト時のクラブの閉鎖角度、バックスイングからダウンスイングに転換される角度、ダウンスイング軌道、スイングスピード、ボールスピード及びボールの進行方向の少なくとも一つ以上を含むことができる。
【発明の効果】
【００２８】
本発明は前述した実施例と以下で説明する構成、結合及び使用関係によって次のような効果を得ることができる。
【００２９】
本発明はスイングシャフトに簡便に着脱できるようにして高い携帯性を有するスイング分析装置を提供する効果を有する。
【００３０】
また、本発明は、スイング分析装置によって、シャフトの長さによって使用者のスイング情報を受信し、受信されたスイング情報に基づいてインパクトゾーンとスイングゾーンを確認することができる効果を提供する。
【図面の簡単な説明】
【００３１】
【図１】本発明の一実施例によるスイング分析装置の斜視図である。
【図２】本発明の一実施例によるスイング分析装置の断面図である。
【図３】本発明の一実施例によるスイング分析装置の分解斜視図である。
【図４】本発明の一実施例による、スイングゾーンで発光するスイング分析装置を示す図である。
【図５】本発明の一実施例による、インパクトゾーンで発光するスイング分析装置を示す図である。
【図６】本発明の一実施例によるスイング分析装置がシャフトに締結される結合状態を示す図である。
【発明を実施するための形態】
【００３２】
以下、本発明の実施例を添付図面に基づいてより詳細に説明する。本発明の実施例はさまざまな形態に変形可能であり、本発明の範囲が下記の実施例に限定されるものと解釈されてはいけない。本実施例は当該分野で平均的な知識を有する者に本発明をより完全に説明するために提供するものである。
【００３３】
また、明細書に記載された“．．．部”、“．．．モジュール”などの用語は少なくとも一つの機能又は動作を処理する単位を意味し、これはハードウェア又はソフトウェアあるいはハードウェア及びソフトウェアの組合せによって具現可能である。
【００３４】
本発明はスイング分析装置に関するもので、シャフト２００の剛体でスイングを行う球技種目、ゴルフ及びホッケーなどのスイングを分析することができる分析装置を提供する。また、本明細書では剛体シャフト２００を用いたスイング分析装置を説明するためにゴルフ装備を対象として記載されているが、本発明はゴルフ装備に限定されない。
【００３５】
図１は本発明の一実施例によるスイング分析装置の斜視図である。
【００３６】
本発明の一実施例によるスイング分析装置は、グラファイト又はスチールからなるシャフト２００に位置する本体１０、本体１０の内部に位置するセンサー部６０、及び一定の条件を満たす場合、使用者が認知することができるようにする多数の手段を含む表示装置２０を含む。
【００３７】
また、センサー部６０から測定されたスイング情報を受信し、設定値と比較して所定の条件を満たす場合、表示装置２０に電源を印加するように構成される制御部５１を含む。
【００３８】
以下で開示する本発明の一実施例において、制御部５１はスイングスピードを設定値として記憶し、スイング情報として受信された実際使用者のスイングのスイングスピードが前記設定値以上であるとき、制御部５１の駆動モジュール５４は表示装置２０を介してアラームを提供するように構成される。
【００３９】
好ましくは、制御部５１は、センサー部６０から測定されたスイング情報を受信する受信モジュール５２、受信されたスイング情報を制御部５１に予め記憶された設定値と比較する比較モジュール５３、及び所定の条件で表示装置２０を介して使用者にお知らせを提供する駆動モジュール５４からなる。
【００４０】
本発明のセンサー部６０は、クラブヘッド３００の開放角度を判断することができるように構成される方位角センサー、シャフト２００の軌跡を測定することができるジャイロスコープ、アドレス姿勢によって変わるシャフト２００の位置を判断することができる重力センサー、スイングスピードを測定することができる加速度センサー及び速度センサーの少なくとも一つ以上からなることができる。
【００４１】
センサー部６０の構成によってインパクトゾーン及びスイングゾーンを測定することができ、アドレスの際及びインパクトの際、クラブヘッド３００の開放角度、ボールの進行方向、スイング軌跡、バックスイング及びダウンスイングの軌道及びバックスイングからダウンスイングに転換される角度などの多様なスイング情報を受信することができる。
【００４２】
このように受信されたスイング情報は制御部５１の受信モジュール５２を介して受信され、前記制御部５１によって分析され、スイング分析情報が表示装置２０に表示されるように構成される。
【００４３】
本発明の表示装置２０は、使用者に光でアラームを行う光源部２２、使用者の聴覚を介してアラームを提供する音源部（図示せず）、及びスイング情報を表示することができるディスプレイ部２１を含んでなることができる。
【００４４】
好ましくは、光源部２２は少なくとも一つ以上備えられ、本体１０の少なくとも一部に位置するように構成されることができ、より好ましくは、使用者が認知することができる位置に位置するように構成されることができる。図示のような一実施例においては、光源部２２が本体１０の上端部に位置することができ、光源部２２の位置は限定されない。
【００４５】
また、光源部２２は、所定の条件を満たす場合、制御部５１によって発光するように構成される。本発明の一実施例においては、スイングゾーン及びインパクトゾーンで発光するように構成される。
【００４６】
本発明の一実施例においては、センサー部６０によってゴルフクラブ別の長さを設定することができ、設定されたクラブの長さによって、制御部５１は予め設定された設定値の補償を行うことができる。好ましくは、図示のような一実施例においては、スイングスピードを設定値として構成し、アドレス時に位置するシャフト２００の角度によってクラブ別スイングスピード設定値を補償することができる。
【００４７】
すなわち、制御部５１の比較モジュール５３は、シャフト２００のアドレス時に初期角度を測定し、測定された初期角度によってシャフト２００の長さを設定するように構成される。また、比較モジュール５３は、ドライバーシャフト２００の長さを基準値に設定し、アドレス時、初期角度によってシャフト２００の長さを再設定する。ここで、ドライバーシャフト２００より短いシャフト２００でスイングを行う場合、スイングスピード設定値が小さくなるように償う。よって、クラブシャフト２００の長さによってスイング分析装置の設定値は変わることができる。
【００４８】
それだけでなく、本体１０に位置する操作部３０によってシャフト２００の長さを設定することができるように構成される。すなわち、初期設定値を設定し、シャフト２００の長さによる補償値を選択することができるように構成される。また、シャフト２００の長さによって制御部５１に予め記憶されたマップ値によってシャフト２００の長さによる設定値の補償を行うことができる。
【００４９】
より好ましくは、操作部３０は表示装置２０のメニューを設定することができ、スイング分析情報の転換及びメニュー設定などの詳細操作を行うことができるように構成される。
【００５０】
図２及び図３は本発明の一実施例によるスイング分析装置の断面図及び分解斜視図を示す。
【００５１】
図示のように、ハウジング形状を有する本体１０の内側に、センサー部６０、ＰＣＢ５０及び電源部（図示せず）が位置するように構成される。
【００５２】
ＰＣＢ５０は、表示装置２０としてディスプレイ部２１及び光源部２２と音源部と連結されるように構成され、制御部５１の命令によって、電源部から電源を前記ディスプレイ部２１及び光源部２２と音源部に印加するように構成される。
【００５３】
また、制御部５１は通信モジュール５５を含むように構成され、前記通信モジュール５５を介して使用者のスマート機器４００と連動するように構成される。本発明の通信モジュール５５は、ブルートゥース（ｂｌｕｅｔｏｏｔｈ）通信、ＢＬＥ（Ｂｌｕｅｔｏｏｔｈ  Ｌｏｗ  Ｅｎｅｒｇｙ）通信、近距離無線通信（Ｎｅａｒ  Ｆｉｅｌｄ  Ｃｏｍｍｕｎｉｃａｔｉｏｎ）、無線ＬＡＮ（ＷＬＡＮ）通信、ジグビー（Ｚｉｇｂｅｅ）通信、赤外線通信協会（Ｉｎｆｒａｒｅｄ  Ｄａｔａ Ａｓｓｏｃａｔｉｏｎ、ＩｒＤＡ）による通信、ＷＦＤ（Ｗｉ−Ｆｉ  Ｄｉｒｅｃｔ）通信、ＵＷＢ（ｕｌｔｒａｗｉｄｅｂａｎｄ）通信、Ａｎｔ＋通信、ＷＩＦＩ通信を介して使用者のスマート機器４００と通信することができるが、これに制限されない。
【００５４】
このように連動するスマート機器４００は、制御部５１で測定されたスイング情報を分析し、分析されたスイング情報に基づいて行われたスイングを映像として提供するように構成されることができる。
【００５５】
より好ましくは、本体１０に位置する制御部５１によって測定されたスイング情報によってボールの飛距離、ヘッド３００の開放角度スイング軌跡などを分析することができ、スマート機器４００による分析もできるように構成される。
【００５６】
したがって、本体１０の制御部５１においてスイング分析を行う比較モジュール５３でエラーが発生した場合には、スマート機器４００によってスイング分析を行うことができるように構成される。
【００５７】
まとめれば、本発明の制御部５１の受信モジュール５２は、センサー部６０を介して個別スイング情報を受信し、制御部５１の比較モジュール５３によって予め設定された設定値と測定されたスイング情報を比較し、所定の条件を満たす場合、制御部５１の駆動モジュール５４によって表示装置２０を介して使用者にお知らせを提供するように構成される。また、使用者が携帯するスマート機器４００と連動するように構成される通信モジュール５５を介してスイング情報を提供し、提供されたスイング情報に基づいてスイング分析情報及び映像を提供するように構成される。
【００５８】
本発明の一実施例として、スイングスピードを設定値とするスイング分析装置において、クラブシャフト２００の長さによってスイングスピードが設定され、実際のスイングにおいて設定された設定値以上のスイングスピードが測定される区間（スイングゾーン）によって表示装置２０が駆動するように制御される。また、実際にボールをインパクトする区間（インパクトゾーン）でも使用者の要請による表示方法を提供することができる。
【００５９】
それだけでなく、インパクトゾーンとスイングゾーンが同一である場合、インパクトゾーンとスイングゾーンが互いに違う場合に提供する表示方法とは違う表示方法によって使用者にお知らせを提供するように構成される。
【００６０】
したがって、本発明のスイング分析装置は、使用者のスイング情報を提供し、インパクトゾーンとスイングゾーン間の差を実時間で確認することができるので、使用者が直観的に実際のスイングを分析することができる。
【００６１】
図４及び図５は、本発明の一実施例によって、予め設定された設定値以上のスイングスピードを有するスイングゾーンで光源部２２が発光し、インパクトゾーンで光源部２２が発光する構成を示す。
【００６２】
制御部５１に予め記憶された設定値を基準に使用者のスイング情報を受信し、受信されたスイング情報が設定値以上の場合、表示装置２０を介して使用者にお知らせを提供する。
【００６３】
好ましくは、インパクトゾーンとスイングゾーンが互いに異なる条件で表示装置２０によるお知らせの場合、それぞれのゾーンによって違う色相及び音源を用いて使用者にお知らせを提供することができ、スイングゾーン内にインパクトゾーンが存在する場合、インパクトゾーンとスイングゾーンが互いに異なる場合とは違う形式の光又は音のお知らせを提供するように構成される。お知らせを提供する方式は使用者によって決定することができ、操作部３０によってアラーム方式を設定するように構成される。
【００６４】
一実施例においては、加速度センサー及び速度センサーを含むセンサー部６０が構成され、制御部５１に使用者が設定した条件によって光源部２２が赤色、緑色又は白色の光を発光するように構成されることができ、多様な音源を個別条件によって適用するように構成される。
【００６５】
また、図示のような構成は、本発明の一実施例として、ゴルフスイング中のスイングゾーンを示している。予め設定されたスイングスピード以上の区間で表示装置２０によってアラームが提供される。
【００６６】
図４に示したＡ区間は予め設定されたスイングスピード以上の区間であり、使用者の設定によって赤色光が発光するように構成されることができ、図５に示したＢ区間は実際にインパクトが発生するインパクトゾーンで白色光が発光するように構成される。
【００６７】
より好ましくは、スイングゾーンにインパクトゾーンが含まれる場合、光源部２２は緑色光を発光するように構成され、最適のインパクトゾーンを有するスイングであることを表示することができるように表示装置２０を作動する。
【００６８】
このように、本発明は、スイング分析装置によって使用者が実時間でスイングゾーンとインパクトゾーンを認知するように構成され、スイングによって受信されたスイング情報をディスプレイ部２１を介して実時間で確認することができるように構成されるので、使用者がそれぞれのスイングによる情報をより効率的に得ることができるように構成される。
【００６９】
図６は本発明の一実施例によるスイング分析装置をシャフト２００に着脱する方法を示す。
【００７０】
図示のように、シャフト２００と向き合う本体１０の背面には着脱手段４０を含むように構成される。着脱手段４０は、シャフト２００が本体１０に直角の状態で挿入されるように構成されるスロット４１、及び前記スロット４１の両端に少なくとも二つ以上設けられ、シャフト２００に締まりばめ方式で前記本体１０が固定されるように構成されるフック４２を含む。
【００７１】
よって、着脱手段４０は、本体１０がシャフト２００に直角の状態で嵌合され、嵌合された本体１０が９０度回転してからフック４２がシャフト２００にそれぞれ締まりばめ方式で締結されるように構成されることにより、高いスイングスピードを有するシャフト２００にスイング分析装置が固定されるように構成される。
【００７２】
二つ以上が備えられるフック４２はスロット４１の両側に位置するように構成され、スロット４１の一側に位置するフック４２は同じ方向に開放した開口部を含むことによってシャフト２００に固定されるように構成される。
【００７３】
さらに、スロット４１を基準に互いに対称となるように構成されるフック４２はスロット４１を基準に互いに反対の方向への開口部をなすように構成されるので、本体１０が９０度回転することによってシャフト２００が前記開口部に挿入されるように構成される。
【００７４】
以上の詳細な説明は本発明を例示するものである。また、前述した内容は本発明の好適な実施形態を示して説明するものであり、本発明は多様な他の組合せ、変更及び環境で使うことができる。すなわち、この明細書で開示した発明の概念の範囲、開示内容と均等な範囲及び／又は当該分野の技術又は知識の範囲内で変更又は修正が可能である。前述した実施例は本発明の技術的思想を具現するための最良の状態を説明するものであり、本発明の具体的な適用分野及び用途で要求される多様な変更も可能である。したがって、以上の発明の詳細な説明は開示した実施状態に本発明を制限しようとする意図ではない。また、添付の請求範囲は他の実施状態も含むものと解釈されなければならない。
【符号の説明】
【００７５】
１００    スイング分析装置
１０    本体
２０    表示装置
２１    ディスプレイ部
２２    光源部
３０    操作部
４０    着脱手段
４１    スロット
４２    フック
５０    ＰＣＢ
５１    制御部
５２    受信モジュール
５３    比較モジュール
５４    駆動モジュール
５５    通信モジュール
６０    センサー部
２００    シャフト
３００    クラブヘッド
４００    スマート機器
【図１】
2019150578.tif 000003
【図２】
2019150578.tif 000004
【図３】
2019150578.tif 000005
【図４】
2019150578.tif 000006
【図５】
2019150578.tif 000007
【図６】
2019150578.tif 000008